(57)【要約】【課題】多大な時間や費用を要することなく良好な光学特性を有する反射スクリーン、映像表示システムを提供する。【解決手段】反射スクリーン２０は、映像源ＬＳから投射された映像光を反射して画面に表示する反射スクリーンであって、少なくとも光を拡散する光拡散層２４１としての機能を有する基材層２４と、基材層の一方の面側に形成され、レンズ面２３２及び非レンズ面２３３を備え、背面側に凸となる単位レンズ２３１が複数配列されたレンズ層２３と、少なくともレンズ面２３２に、複数の鱗片状の金属薄膜２２ａが含有された樹脂によって形成され、光を反射する反射層２２とを備え、基材層２４は、透過光に基づいて測定されるピークゲインＰｇ１が０．７≦Ｐｇ１≦１３．６であり、透過光に基づいて測定される拡散半値角αＨ１が１．７°≦αＨ１≦１０°であることを特徴とする【選択図】図３
2016180855.tif 000002
【特許請求の範囲】
【請求項１】
映像源から投射された映像光を反射して画面に表示する反射スクリーンであって、
少なくとも光を拡散する拡散層としての機能を有する基材層と、
前記基材層の一方の面側に形成され、レンズ面及び非レンズ面を備え、背面側に凸となる単位レンズが複数配列されたレンズ層と、
少なくとも前記レンズ面に、複数の鱗片状の金属薄膜が含有された樹脂によって形成され、光を反射する反射層とを備え、
前記基材層は、透過光に基づいて測定されるピークゲインＰｇ１が０．７≦Ｐｇ１≦１３．６であり、透過光に基づいて測定される拡散半値角αＨ１が１．７°≦αＨ１≦１０°であること、
を特徴とする反射スクリーン。
【請求項２】
請求項１に記載の反射スクリーンにおいて、
当該反射スクリーンのピークゲインＰｇが０．６≦Ｐｇ≦１．４であり、拡散半値角αＨが１７°≦αＨ≦２７°であること、
を特徴とする反射スクリーン。
【請求項３】
請求項１又は請求項２に記載の反射スクリーンにおいて、
前記基材層は、光の透過率を調整する着色層としての機能を有すること、
を特徴とする反射スクリーン。
【請求項４】
請求項１から請求項３までのいずれか１項に記載の反射スクリーンと、
前記反射スクリーンに映像光を投射する映像源と、
を備える映像表示システム。
【発明の詳細な説明】
【技術分野】
【０００１】
本発明は、投射された映像光を反射して映像を表示する反射スクリーン、映像表示システムに関するものである。
【背景技術】
【０００２】
従来、様々な構成を有する反射スクリーンが開発され、映像表示システムに用いられている。近年では、反射スクリーンに対して至近距離から比較的大きな投射角度で映像光を投写して大画面表示を実現する短焦点型の映像投射装置（プロジェクタ）等が広く利用されており、このような短焦点型の映像投射装置によって投射された映像光を良好に表示するための反射スクリーン等も開発されている。
【０００３】
短焦点型の映像投射装置は、反射スクリーンに対して、上方又は下方から従来の映像源よりも大きな投射角度で映像光を投射することができ、映像投射装置と反射スクリーンとの奥行き方向の距離を短くすることができるので、反射スクリーンを用いた映像表示システムの省スペース化等に寄与できる。
このような映像投射装置に用いられる反射スクリーンは、映像光を観察者側により多く反射させるために反射層が設けられているものがある（例えば、特許文献１）。
このような反射スクリーンは、良好な光学特性を有しているか否かを、反射スクリーンを最終工程まで作製し、評価することによって判断していたため、製品として成立する良好な光学特性を有する反射スクリーンを得るために多大な時間と費用を要する場合があった。
【先行技術文献】
【特許文献】
【０００４】
【特許文献１】特開２０１１−１３３６０８号公報
【発明の概要】
【発明が解決しようとする課題】
【０００５】
本発明の課題は、多大な時間や費用を要することなく良好な光学特性を有する反射スクリーン、映像表示システムを提供することである。
【課題を解決するための手段】
【０００６】
本発明は、以下のような解決手段により、前記課題を解決する。なお、理解を容易にするために、本発明の実施形態に対応する符号を付して説明するが、これに限定されるものではない。
請求項１の発明は、映像源（ＬＳ）から投射された映像光を反射して画面に表示する反射スクリーン（２０）であって、少なくとも光を拡散する拡散層（２４１）としての機能を有する基材層（２４）と、前記基材層の一方の面側に形成され、レンズ面（２３２）及び非レンズ面（２３３）を備え、背面側に凸となる単位レンズ（２３１）が複数配列されたレンズ層（２３）と、少なくとも前記レンズ面に、複数の鱗片状の金属薄膜（２２ａ）が含有された樹脂によって形成され、光を反射する反射層（２２）とを備え、前記基材層は、透過光に基づいて測定されるピークゲインＰｇ１が０．７≦Ｐｇ１≦１３．６であり、透過光に基づいて測定される拡散半値角αＨ１が１．７°≦αＨ１≦１０°であること、を特徴とする反射スクリーンである。
請求項２の発明は、請求項１に記載の反射スクリーン（２０）において、当該反射スクリーンのピークゲインＰｇが０．６≦Ｐｇ≦１．４であり、拡散半値角αＨが１７°≦αＨ≦２７°であること、を特徴とする反射スクリーンである。
請求項３の発明は、請求項１又は請求項２に記載の反射スクリーン（２０）において、前記基材層（２４）は、光の透過率を調整する着色層（２４２）としての機能を有すること、を特徴とする反射スクリーンである。
【０００７】
請求項４の発明は、請求項１から請求項３までのいずれか１項に記載の反射スクリーン（２０）と、前記反射スクリーンに映像光を投射する映像源（ＬＳ）と、を備える映像表示システム（１）である。
【発明の効果】
【０００８】
本発明によれば、多大な時間や費用を要することなく良好な光学特性を有する反射スクリーン、映像表示システムを提供することができる。
【図面の簡単な説明】
【０００９】
【図１】実施形態の映像表示システムを説明する図である。
【図２】実施形態の反射スクリーンの層構成を説明する図である。
【図３】実施形態のレンズ層及び反射層の詳細を説明する図である。
【図４】実施形態の反射スクリーンの製造方法の一例を説明する図である。
【図５】反射スクリーンの拡散半値角の測定を説明する図である。
【図６】輝度分布における拡散半値角を説明する図である。
【発明を実施するための形態】
【００１０】
以下、図面等を参照して、本発明の実施形態について説明する。
なお、図１を含め、以下に示す各図は、模式的に示した図であり、各部の大きさ、形状は、理解を容易にするために、適宜誇張している。
また、板、シート等の言葉を使用しているが、これらは、一般的な使い方として、厚さの厚い順に、板、シート、フィルムの順で使用されており、本明細書中でもそれに倣って使用している。しかし、このような使い分けには、技術的な意味は無いので、これらの文言は、適宜置き換えることができるものとする。
さらに、本明細書中に記載する各部材の寸法等の数値及び材料名等は、実施形態としての一例であり、これに限定されるものではなく、適宜選択して使用してよい。
【００１１】
本明細書中において、形状や幾何学的条件を特定する用語、例えば、平行や直交等の用語については、厳密に意味するところに加え、同様の光学的機能を奏し、平行や直交と見なせる程度の誤差を有する状態も含むものとする。
本明細書中において、シート面（板面，フィルム面）とは、各シート（板，フィルム）において、そのシート（板，フィルム）全体として見たときにおける、シート（板，フィルム）の平面方向となる面を示すものであるとする。
【００１２】
（実施形態）
図１は、本実施形態の映像表示システム１を説明する図である。図１（ａ）は、映像表示システム１の斜視図であり、図１（ｂ）は、映像表示システム１の側面図である。
映像表示システム１は、反射スクリーン２０を備える反射スクリーンユニット１０と、映像源ＬＳ等とを有している。本実施形態の映像表示システム１は、映像源ＬＳから投影された映像光Ｌを反射スクリーン２０が反射して、その画面上に映像を表示する。
この映像表示システム１は、例えば、映像光Ｌを映像源ＬＳから投射するフロントプロジェクションテレビシステム等として用いることが可能である。
【００１３】
映像源ＬＳは、映像光Ｌを反射スクリーン２０へ投射する映像光投射装置である。本実施形態の映像源ＬＳは、汎用の短焦点型プロジェクタである。映像源ＬＳは、使用状態において、反射スクリーン２０の画面を法線方向（スクリーン面の法線方向）から見た場合に、反射スクリーン２０の画面左右方向において中央であって、反射スクリーン２０の画面（表示領域）よりも下方側となる位置に配置されている。
なお、スクリーン面とは、この反射スクリーン２０全体として見たときにおける、反射スクリーン２０の平面方向となる面を示すものである。
この映像源ＬＳは、反射スクリーン２０の画面に直交する方向（反射スクリーン２０の厚み方向）における反射スクリーン２０との距離が、従来の汎用プロジェクタに比べて大幅に近い位置から映像光Ｌを投射できる。即ち、映像源ＬＳは、従来の汎用プロジェクタに比べて、反射スクリーン２０までの投射距離が短く、映像光Ｌの反射スクリーン２０のスクリーン面に対する入射角度も大きい。
【００１４】
反射スクリーン２０は、映像源ＬＳが投射した映像光Ｌを観察者Ｏ側へ向けて反射し、映像を表示するスクリーンである。使用状態において、反射スクリーン２０の観察画面は、観察者Ｏ側から見て、長辺方向が画面左右方向となる略矩形状である。
以下の説明中において、画面上下方向、画面左右方向、厚み方向とは、特に断りが無い場合、この反射スクリーン２０の使用状態における画面上下方向（鉛直方向）、画面左右方向（水平方向）、厚み方向（奥行き方向）であるとする。
この反射スクリーン２０は、例えば、対角１００インチや、１２０インチ等の大きな画面（表示領域）を有している。
【００１５】
なお、本実施形態の映像表示システム１は、短焦点型のプロジェクタである映像源ＬＳと、この映像源ＬＳから投射された映像光を反射して映像を表示する反射スクリーン２０とを備えるものとしたが、これに限らず、映像源ＬＳを、投射距離が長く、映像光の投射角度（即ち、スクリーンへの映像光の入射角度）の小さい従来の汎用プロジェクタとし、反射スクリーン２０をそのような映像源ＬＳに対応するものとしてもよい。
【００１６】
図２は、本実施形態の反射スクリーン２０の層構成を説明する図である。
図２では、反射スクリーン２０の観察画面（表示領域）の幾何学的中心（画面中央）となる点Ａ（図１（ａ），（ｂ）参照）を通り、画面上下方向に平行であって、スクリーン面に垂直（厚み方向に平行）な断面の一部を拡大して示している。
反射スクリーンユニット１０は、図１に示すように、反射スクリーン２０と、その背面側に配置される平板状の支持板３０と、接合層４０とを有している。反射スクリーン２０と支持板３０とは、接合層４０を介して一体に接合されている。
【００１７】
この支持板３０は、高い剛性を有する部材であれば、特にその材料等は限定しないが、例えば、アルミニウム等の金属製の板材や、アクリル系樹脂等の樹脂製の板材等が好適に用いられる。また、表裏面をアルミニウム等の薄板とし、内部の芯材としてアルミニウム等の薄板により形成されたハニカム構造を備えることにより、板材全体としての軽量化を図った金属製の板材（所謂、ハニカムパネル）等を用いてもよい。また、支持板３０は、外光の映り込みや外光によるコントラスト低下等を防止する観点から、光透過性を有しない部材であることが好ましい。
支持板３０の厚みは０．２〜５．０ｍｍが好適であり、より好ましくは１．０〜３．０ｍｍである。厚みが０．２ｍｍよりも薄いと、平面性を支持できるだけの剛性の付与が不十分であり、５．０ｍｍよりも厚くなると、支持板３０の重量が重くなるという問題がある。
反射スクリーン２０は、薄く、それ単独では平面性を維持するだけの十分な剛性を有していない場合が多い。そのため、反射スクリーン２０は、支持板３０に一体に接合される形態とすることにより、その画面の平面性を維持している。
【００１８】
接合層４０は、反射スクリーン２０と支持板３０とを一体に接合する機能を有する層である。接合層４０は、粘着剤や接着剤等により形成する。
【００１９】
反射スクリーン２０は、図２に示すように、その厚み方向において、映像源側（観察者側）から順に、表面層２５、基材層２４、レンズ層２３、反射層２２を備えている。
ここで、反射スクリーン２０は、一般に、入射した光の拡散特性を高くすると、視野角が向上するが、正面輝度が低下してしまい、拡散特性を低くすると、正面輝度が向上するが、視野角が低下する傾向を有する。そのため、本実施形態の反射スクリーン２０は、良好な光学特性、すなわち正面輝度と視野角とのバランスを良好に保つ観点から、そのピークゲインＰｇが０．６≦Ｐｇ≦１．４であり、かつ、拡散半値角αＨが１７°≦αＨ≦２７°となるように製造される。
ここで、反射スクリーンのゲインｇとは、反射スクリーン２０の映像源側から光を入射させたとき、反射スクリーン２０に光が入射する入射面（反射スクリーンのスクリーン面）での照度と、反射スクリーンで反射する光の輝度とを、画面左右方向においてスクリーン面の法線方向となす角度ごとに測定し、以下に示す式（１）より求めた値である。また、ピークゲインＰｇとは、スクリーン面の法線方向となす角度ごとに測定されたゲインｇのうち最大値を示すものであり、本実施形態では、反射スクリーン２０が画面左右方向の中心線に対して線対称であるため、ピークゲインＰｇは、反射スクリーン２０のスクリーン面の法線方向から測定されたゲインとなる。
【００２０】
式（１）    ｇ＝π×Ａ／Ｉ
【００２１】
なお、式（１）において、反射スクリーン２０のゲインをｇ、円周率をπ、輝度をＡ（ｃｄ／ｍ２）、照度をＩ（ｌｘ）で示している。
ここで、仮に、反射スクリーンのピークゲインＰｇが０．６未満である場合、反射スクリーンの正面輝度が低くなりすぎてしまい好ましくない。一方、ピークゲインＰｇが１．４よりも大きい場合、光が反射スクリーンに含まれる拡散材に当たらず、拡散作用を受けずに出射してしまう、いわゆる素抜けという現象が生じる場合があり好ましくない。
【００２２】
図６は、輝度分布における拡散半値角を説明する図である。図６に示す輝度分布の縦軸は輝度であり、横軸は左右方向又は上下方向における観察角度である。
反射スクリーンの拡散半値角αＨとは、図６に示すように、光の輝度が最大値となる反射スクリーンのスクリーン面の位置から、画面左右方向のいずれか一方の方向及び画面上下方向のいずれか一方の方向において、光の輝度が最大値の半分の値になる観察角度をいう。また、後述の基材層２４の拡散半値角αＨ１についても同様である。
仮に、反射スクリーン２０の拡散半値角αＨが１７°未満である場合、反射スクリーン２０の視野角が狭くなりすぎてしまい好ましくなく、また、拡散半値角αＨが２７°より大きい場合、反射スクリーン２０の正面輝度が低くなりすぎてしまい好ましくない。
【００２３】
基材層２４は、レンズ層２３を形成する基材となるシート状の部材である。この基材層２４の映像源側には、表面層２５が一体に形成され、背面側（裏面側）には、レンズ層２３が一体に形成されている。
基材層２４は、拡散材を含有する光拡散層２４１と、顔料や染料等の着色材を含有する着色層２４２とを有している。本実施形態の基材層２４は、光拡散層２４１と着色層２４２とが共押出成形されることにより、一体に積層されて形成されている。
本実施形態では、図２に示すように、基材層２４において、光拡散層２４１が背面側であり、着色層２４２が映像源側に位置する例を示したが、これに限らず、光拡散層２４１が映像源側に位置し、着色層２４２が背面側に位置する形態としてもよい。
【００２４】
光拡散層２４１は、光透過性を有する樹脂を母材とし、光を拡散する拡散材を含有する層である。光拡散層２４１は、視野角を広げたり、明るさの面内均一性を向上させたりする機能を有する。
光拡散層２４１の母材となる樹脂は、例えば、ＰＥＴ（ポリエチレンテレフタレート）樹脂や、ＰＣ（ポリカーボネート）樹脂、ＭＳ（メチルメタクリレート・スチレン）樹脂、ＭＢＳ（メチルメタクリレート・ブタジエン・スチレン）樹脂、ＴＡＣ（トリアセチルセルロース）樹脂、ＰＥＮ（ポリエチレンナフタレート）樹脂、アクリル系樹脂等が好適に用いられる。
【００２５】
光拡散層２４１に含まれる拡散材としては、アクリル系樹脂、エポキシ樹脂等、シリコン系等の樹脂製の粒子や無機粒子等が好適に用いられる。なお、拡散材は、無機系拡散材と有機系拡散材とを組み合わせて用いてもよい。この拡散材は、略球形であり、平均粒径が約１〜５０μｍであるものを用いることが好ましい。
光拡散層２４１の厚さは、反射スクリーン２０の画面サイズ等にも依るが、約１００〜２０００μｍとすることが好ましい。
【００２６】
着色層２４２は、黒色等の暗色系の着色剤等により、所定の光透過率となるように着色が施された層である。着色層２４２は、反射スクリーン２０に入射する照明光等の不要な外光を吸収したり、表示される映像の黒輝度を低減させたりして、映像のコントラストを向上させる機能を有する。
着色層２４２の着色剤としては、グレー系や黒色系等の暗色系の染料や顔料等や、カーボンブラック、グラファイト、黒色酸化鉄等の金属塩等が好適に用いられる。
着色層２４２の母材となる樹脂は、ＰＥＴ樹脂や、ＰＣ樹脂、ＭＳ樹脂、ＭＢＳ樹脂、ＴＡＣ樹脂、ＰＥＮ樹脂、アクリル系樹脂等を用いることができる。
着色層２４２は、反射スクリーン２０の画面サイズ等にも依るが、その厚さを約３０〜１０００μｍとすることが好ましい。
【００２７】
基材層２４は、上述の反射スクリーン２０のピークゲインＰｇを好ましい範囲（０．６≦Ｐｇ≦１．４）にするために、そのピークゲインＰｇ１が０．７≦Ｐｇ１≦１３．６であることが好ましい。
ここで、基材層２４のゲインｇ１とは、基材層の映像源側から光を入射させたとき、基材層に光が入射する入射面での照度と、基材層を反射する光の輝度を、シート面の法線方向となす角度ごとに測定し、以下に示す式（２）より求めた値である。また、基材層のピークゲインＰｇ１とは、画面左右方向においてシート面の法線方向となす角度ごとに測定されたゲインｇ１のうち最大値を示すものであり、本実施形態では、反射スクリーン２０が画面左右方向の中心線に対して線対称であるため、基材層２４の幾何学的中心におけるシート面の法線方向から測定されたゲインである。
【００２８】
式（２）    ｇ１＝π×Ａ１／Ｉ１
【００２９】
なお、式（２）において、基材層２４のゲインをｇ１、円周率をπ、輝度をＡ１（ｃｄ／ｍ２）、照度をＩ１（ｌｘ）で示している。
【００３０】
また、基材層２４は、上述の反射スクリーン２０の拡散半値角αＨを好ましい範囲（１７°≦αＨ≦２７°）にするために、その拡散半値角αＨ１が１．７°≦αＨ１≦１０°であることが好ましい。
ここで、拡散半値角αＨ１とは、光の輝度が最大値となる基材層のシート面の位置から、画面左右方向のいずれか一方の方向及び画面上下方向のいずれか一方の方向において、光の輝度が最大値の半分の値になる観察角度をいい、光の輝度が最大値から半分の値になる半値幅の半分の角度をいう。ここで、基材層２４のピークゲインＰｇ１、拡散半値角αＨ１は、基材層の背面側に光源を配置して基材層を透過した透過光に基づいて測定される値である。
なお、基材層２４のピークゲインＰｇ１、拡散半値角αＨ１は、光拡散層２４１に含有される拡散材の含有量や、形状、種類等を適宜変更することによって所望の値に調整することができる。
以上より、ピークゲインＰｇ１及び拡散半値角αＨ１がそれぞれ上述の好ましい範囲内となる基材層２４を作製することによって、反射スクリーン２０を最終工程まで作製して評価することなく、良好な光学特性、すなわち正面輝度と視野角とのバランスが良好に保たれた反射スクリーン２０を得ることができる。これにより、多大な時間や費用を要することなく、良好な光学特性を有する反射スクリーン２０を提供することができる。
【００３１】
図３は、本実施形態のレンズ層２３及び反射層２２の詳細を説明する図である。
図３（ａ）は、レンズ層２３を背面側正面方向から観察した様子を示しており、理解を容易にするために、反射層２２は省略して示している。図３（ｂ）は、図２に示す断面の一部をさらに拡大して示している。図３（ｃ）は、反射層が形成されたレンズ層の拡大斜視図を示している。なお、図３（ｂ）及び図３（ｃ）は、理解を容易にするために、レンズ層２３の映像源側に位置する基材層２４や表面層２５は省略して示している。
【００３２】
レンズ層２３は、基材層２４の背面側に設けられた光透過性を有する層であり、図３（ａ）等に示すように、点Ｃを中心として単位レンズ２３１が同心円状に複数配列されたサーキュラーフレネルレンズ形状をその背面側の面に有している。このサーキュラーフレネルレンズ形状は、その光学的中心（フレネルセンター）である点Ｃが、反射スクリーン２０の画面（表示領域）の領域外であって、反射スクリーン２０の下方に位置している。
本実施形態では、レンズ層２３は、その背面側の面にサーキュラーフレネルレンズ形状を有する例を上げて説明するが、これに限らず、単位レンズ２３１がスクリーン面に沿って画面上下方向等に配列されたリニアフレネルレンズ形状を有する形態としてもよい。
【００３３】
単位レンズ２３１は、図２や図３（ｂ）に示すように、スクリーン面に直交する方向（反射スクリーン２０の厚み方向）に平行であって、単位レンズ２３１の配列方向に平行な断面における断面形状が、略三角形形状である。
単位レンズ２３１は、背面側に凸であり、レンズ面２３２と、このレンズ面２３２と対向する非レンズ面２３３とを備えている。
本実施形態では、反射スクリーン２０の使用状態において、単位レンズ２３１は、レンズ面２３２が頂点ｔを挟んで非レンズ面２３３よりも鉛直方向上側に位置している。
【００３４】
図３（ｂ）に示すように、単位レンズ２３１のレンズ面２３２が、スクリーン面に平行な面となす角度は、αである。また、非レンズ面２３３がスクリーン面に平行な面となす角度は、β（β＞α）である。さらに、単位レンズ２３１の配列ピッチは、Ｐであり、単位レンズ２３１のレンズ高さ（スクリーンの厚み方向における頂点ｔから単位レンズ２３１間の谷底となる点ｖまでの寸法）は、ｈである。
理解を容易にするために、図２等では、単位レンズ２３１の配列ピッチＰ、角度α，βは、単位レンズ２３１の配列方向において一定であるように示している。しかし、本実施形態の単位レンズ２３１は、実際には、配列ピッチＰ等が一定であるが、角度αが単位レンズ２３１の配列方向においてフレネルセンターとなる点Ｃから離れるにつれて次第に大きくなっている。また、それに伴いレンズ高さｈも変動している。
なお、これに限らず、配列ピッチＰは、単位レンズ２３１の配列方向に沿って次第に変化する形態等としてもよく、映像光Ｌを投影する映像源ＬＳの画素（ピクセル）の大きさや、映像源ＬＳの投射角度（反射スクリーン２０のスクリーン面への映像光の入射角度）、反射スクリーン２０の画面サイズ、各層の屈折率等に応じて、適宜変更可能である。
【００３５】
レンズ層２３は、ウレタンアクリレートやエポキシアクリレート等の紫外線硬化型樹脂により、基材層２４の背面側の面（本実施形態では、光拡散層２４１側の面）に一体に形成されている。なお、レンズ層２３は、電子線硬化型樹脂等の他の電離放射線硬化型樹脂により形成してもよい。
また、レンズ層２３は、熱可塑性樹脂を用いてもよく、レンズ層２３のフレネルレンズ形状に応じて、プレス成形法等により形成してもよい。このようなレンズ層２３の場合には、不図示の接合層等を介して、その映像源側に基材層２４（光拡散層２４１）等を積層する形態としてもよい。また、押出成形法が可能な場合には、レンズ層２３と基材層２４とを一体に積層した状態で成形してもよい。
【００３６】
反射層２２は、光を反射する作用を有する層である。この反射層２２は、光を反射するために十分な厚さを有し、単位レンズ２３１のレンズ面２３２の少なくとも一部に形成されている。
本実施形態の反射層２２は、図２や図３（ｂ）に示すように、レンズ面２３２及び非レンズ面２３３に形成されている。具体的には、反射層２２は、レンズ層２３の背面側を覆い、背面側に凸となる単位レンズ２３１間の境界、すなわち、谷底となる点ｖを埋めるようにして形成されている。これにより、反射層２２は、レンズ層の背面側の凹凸を略平坦にすることができ、接合層４０を介して支持板３０をより安定して貼付することができる。
【００３７】
反射層２２は、レンズ面２３２上に、アルミニウム等の光反射性の高い鱗片状の金属薄膜２２ａが含有された塗料（樹脂）をレンズ面２３２に対してスプレー塗布することによって形成される。反射層２２は、図３（ｂ）や図３（ｃ）に示すように、この鱗片状の金属薄膜２２ａの厚み方向に垂直な面がレンズ面２３２に対して略平行に配置されており、レンズ面２３２に入射した映像光Ｌを観察者側へと適正に反射させることができる。ここで、略平行とは、金属薄膜２２ａの厚み方向に垂直な面が、レンズ面２３２に対して完全に平行な場合だけでなく、レンズ面２３２に対する傾きが−１０°〜＋１０°の範囲にある場合をも含むものをいう。また、鱗片状の金属薄膜２２ａとは、金属薄膜２２ａの厚み方向から見た形状（外形形状）が鱗片状であることをいい、この鱗片状とは、鱗状の形状だけでなく、楕円状や、円状、多角形状、薄膜を粉砕して得られる不定形な形状等を含むものをいう。
ここで、鱗片状の金属薄膜の性質区分としては、リーフィングタイプ、ノンリーフィングタイプ、樹脂コーティングタイプ等があり、金属光沢、隠蔽性、密着性、配向性等にそれぞれ特徴があるが、本実施形態としては、金属光沢も重要であるが、密着性、配向性等考慮し樹脂コーティングタイプが好適である。
【００３８】
この金属薄膜２２ａは、映像光の反射効率を維持、向上させるとともに、反射層２２の背面側が透けてしまうのを防ぐために、複数ある各単位レンズのレンズ面上において平均で８層以上、積層されていることが望ましい。なお、上述の金属薄膜２２ａを８層以上設けた反射層２２は、複数ある単位レンズ２３１のレンズ面２３２のうち一部のレンズ面２３２に対して設けてもよく、また、全てのレンズ面２３２に対して設けてもよい。
ここで、反射層２２は、入射した映像光を効率よく反射させるために、正反射率Ｒｔが５０％＜Ｒｔ＜７０％であり、拡散反射率Ｒｄが１０％＜Ｒｄ＜５０％であることが望ましい。
【００３９】
この反射層２２を形成する塗料は、鱗片状の金属薄膜２２ａ、バインダー、乾燥補助剤、制御剤等から構成されている。この塗料は、スプレーガンによる塗布容易性の観点から、粘度が５０〜１０００［ｃｐ］（測定温度摂氏２３℃）の範囲内であることが望ましい。
この金属薄膜２２ａは、鱗片状に形成されたアルミニウムであり、その厚み寸法は、１５〜１５０ｎｍの範囲に、より好ましくは２０〜８０ｎｍの範囲に形成されている。また、金属薄膜２２ａは、厚み方向に直交する縦方向及び横方向における寸法（以下、縦寸法、横寸法という）の平均値が、単位レンズ２３１のレンズ高さｈと同等の寸法、すなわち、０．３５〜７８μｍに形成されているのが好ましい。ここで、レンズ高さｈと同等とは、金属薄膜の縦寸法及び横寸法がレンズ高さｈに等しい場合だけでなく、レンズ高さｈに近似する場合（例えば、レンズ高さｈに対して−３０％〜＋３０％の寸法範囲）も含むものをいう。
【００４０】
ここで、この金属薄膜２２ａが非レンズ面２３３に略平行に配置されてしまうと、外光が非レンズ面２３３に入射した場合に、その外光が非レンズ面２３３で反射して観察者側に届いてしまう場合があり、その場合、映像のコントラスト低下の要因となる。そのため、金属薄膜２２ａの縦寸法及び横寸法を、上述のようにレンズ高さｈと同等にすることによって、塗料がレンズ層２３の背面側に塗布された場合に、金属薄膜２２ａが、非レンズ面２３３に対して略平行に配置されてしまうのを抑制することができる。これにより、反射層２２は、外光が非レンズ面２３３に入射したとしても、金属薄膜２２ａの端部で拡散させることができ、観察者側に反射させてしまうのを極力抑制することができる。
金属薄膜２２ａは、反射層としての光反射機能の確保の観点から、塗料全体の重量に対して重量比で３〜１５％の範囲内で含有されるのが望ましい。
【００４１】
バインダーは、熱硬化性樹脂から構成される透明な接合剤であり、反射層２２を形成する母材である。本実施形態では、バインダーは、ウレタン系の熱硬化性樹脂を用いるが、これに限定されるものでなく、エポキシ系の熱硬化性樹脂を用いてもよく、また、紫外線硬化性樹脂等を用いてもよい。なお、バインダーは、硬化剤を添加し２液硬化型として使用してもよく、ウレタン系樹脂であれば、ポリイソシアネート等を使用することができ、また、エポキシ系樹脂であれば、アミン類等を使用することができる。
乾燥補助剤は、レンズ層に塗布された塗料の乾燥時間を所定の時間に調整する溶剤であり、いわゆる遅乾溶剤である。本実施形態では、乾燥補助剤は、レンズ層２３の背面側に塗布された塗料の乾燥までの時間をおよそ１時間となるように、所定の量が塗料に含まれている。乾燥補助剤は、例えば、プロピレングリコールモノメチルエーテルアセテート、エチレングリコールモノブチルエーテル、ジイソブチルケトン、３−メトキシ−１−ブチルアセテートの混合溶剤を使用することができる。
制御剤は、塗料に含有される金属薄膜２２ａの配向を制御する溶剤である。制御剤は、塗料に含まれることによって、金属薄膜２２ａをレンズ面２３２に対して略平行に配置させることができる。制御剤は、例えば、シリカ、アルミナ、水酸化アルミニウム、アクリルオリゴマー、シリコン等を使用することができる。
【００４２】
表面層２５は、基材層２４の映像源側（観察者側）に設けられる層である。本実施形態の表面層２５は、反射スクリーン２０の映像源側の最表面を形成している。
本実施形態の表面層２５は、ハードコート機能及び防眩機能を有しており、基材層２４の映像源側の表面に、ハードコート機能を有する紫外線硬化型樹脂（例えば、ウレタンアクリレート）等の電離放射線硬化型樹脂を塗膜の膜厚約１０〜１００μｍとなるように塗布し、微細な凹凸形状（マット形状）をその樹脂膜表面に転写する等して硬化させ、表面に微細凹凸形状が賦形されて形成されている。
【００４３】
なお、表面層２５は、上記の例に限らず、反射防止機能や防眩機能、ハードコート機能、紫外線吸収機能、防汚機能や帯電防止機能等、適宜必要な機能を１つ又は複数選択して設けることができる。また、表面層２５としてタッチパネル層等を設けてもよい。
また、表面層２５は、反射防止機能や紫外線吸収機能、防汚機能や帯電防止機能等を有する層を、表面層２５と基材層２４との間に、さらに別層として設けてもよい。
さらに、表面層２５は、基材層２４とは別層であって不図示の粘着材等により基材層２４に接合される形態としてもよいし、基材層２４のレンズ層２３とは反対側（映像源側）の面に直接形成してもよい。
【００４４】
図２に戻り、本実施形態の反射スクリーン２０へ入射する映像光及び外光の様子を説明する。図２では、理解を容易にするために、表面層２５、着色層２４２、光拡散層２４１、レンズ層２３の屈折率は等しいものとし、映像光Ｌ１及び外光Ｇに対する光拡散層２４１の光拡散作用等は省略して示している。
図２に示すように、映像源ＬＳから投影された大部分の映像光Ｌ１は、反射スクリーン２０の下方から入射し、表面層２５及び基材層２４を透過してレンズ層２３の単位レンズ２３１へ入射する。
【００４５】
そして、映像光Ｌ１は、レンズ面２３２へ入射して反射層２２によって反射され、観察者Ｏ側に向かい、略正面方向へ反射スクリーン２０から出射する。従って、映像光Ｌ１は、効率よく反射されて観察者Ｏに届くので、明るい映像を表示できる。
なお、映像光Ｌ１が反射スクリーン２０の下方から投射され、かつ、角度β（図３（ｂ）参照）が反射スクリーン２０の画面上下方向の各点における映像光Ｌ１の入射角度よりも大きいので、映像光Ｌ１が非レンズ面２３３に直接入射することはなく、非レンズ面２３３は、映像光Ｌ１の反射には影響しない。
【００４６】
一方、照明光等の不要な外光Ｇ（Ｇ１、Ｇ２）は、図２に示すように、主として反射スクリーン２０の上方から入射し、表面層２５及び基材層２４を透過してレンズ層２３の単位レンズ２３１へ入射する。
そして、一部の外光Ｇ１は、非レンズ面２３３へ入射するが、非レンズ面２３３の背面側に形成された反射層２２の金属薄膜２２ａの端部で拡散され、観察者Ｏ側に届いたとしてもその光量は、映像光Ｌ１に比べて大幅に少ない。また、一部の外光Ｇ２は、レンズ面２３２で反射して、主として反射スクリーン２０の下方側へ向かうので、観察者Ｏ側には直接届かず、また、届いた場合にもその光量は、映像光Ｌ１に比べて大幅に少ない。さらに、一部の外光は、反射スクリーン２０に入射して、着色層２４２に吸収される。従って、反射スクリーン２０では、外光Ｇ１，Ｇ２等による映像のコントラスト低下を抑制することができる。
以上のことから、本実施形態の反射スクリーン２０によれば、明室環境下であっても、コントラストが高く像の鮮明な良好な映像を表示できる。
【００４７】
ここで、本実施形態の反射スクリーン２０の製造方法の一例について説明する。
図４は、本実施形態の反射スクリーン２０の製造方法の一例を説明する図である。
図４（ａ）に示すように、拡散材を含有する樹脂と着色材を含有する樹脂とを、それぞれ所定の厚さで共押出成形することにより、光拡散層２４１及び着色層２４２を一体に成形し、基材層２４を形成する。ここでは、基材層２４は、ウェブ状であるとする。
【００４８】
次に、図４（ｂ）に示すように、基材層２４の映像源側となる面（本実施形態では、着色層２４２側の面）上に、ウレタンアクリレート等の紫外線硬化型樹脂を塗布し、微細な凹凸形状（マット形状）をその樹脂膜表面に転写する等して硬化させ、表面に微細凹凸形状を有する表面層２５を形成する。
なお、表面層２５上に不図示のマスキング材を剥離可能に貼合して、次工程に流してもよい。このマスキング材としては、例えば、透明又は略透明なシート状の部材を用いることができ、以降の製造過程における表面層２５表面の汚れや傷つきを防止する機能を有している。
【００４９】
次に、表面層２５及び基材層２４を、所定の大きさに裁断し、枚葉状とする。
そして、図４（ｃ）に示すように、基材層２４の背面側となる面（本実施形態では、光拡散層２４１側の面）に、紫外線成形法等により、レンズ層２３を形成する。
レンズ層２３は、基材層２４の表面層２５が積層された面とは反対側の面（本実施形態では、光拡散層２４１側の面）を、アクリル系の紫外線硬化型樹脂が充填されたサーキュラーフレネルレンズ形状を賦形する成形型に押圧し、紫外線を照射して硬化させた後に成形型から離型する等により、形成される。なお、レンズ層２３の形成方法は、適宜選択してよく、この限りではない。
【００５０】
次に、図４（ｄ）に示すように、レンズ層２３の背面側に、不図示のスプレーガンにより鱗片状の金属薄膜２２ａが含有された塗料を吹き付けて反射層２２を形成する。塗料の塗布は、スプレーガンを、レンズ層２３の画面左右方向に平行移動させながら、画面上下方向の下端部から上端側へ所定の移動ピッチ（例えば、７０ｍｍピッチ）で移動させることによって行う。このとき、スプレーガンの向きは、金属薄膜２２ａをレンズ面２３２に対して略平行に配置させ易くするために、レンズ面２３２に対して略垂直であることが好ましい。
次に、表面層２５からマスキング材等を剥離したり、更なる裁断工程等の後工程を行ったりする等して、反射スクリーン２０が完成する。
【００５１】
ここで、従来、主に製造されていた反射スクリーンのレンズ層に設けられる反射層は、アルミニウム等の金属を蒸着させることによって形成されていた。この蒸着により形成された反射層は、映像光を効率よく反射させることができるが、厚みが非常に薄い（例えば、約８００Å）ため、反射スクリーンの背面側が透けてしまうのを防止したり、反射層の酸化を抑制したりするために、反射層の背面側に保護層を設ける必要があった。
そのため、この反射スクリーンは、反射層の形成に、蒸着の処理工程や、保護層の形成工程を設ける必要があった。
【００５２】
これに対して、本実施形態の反射スクリーン２０は、塗料に含有される複数の鱗片状の金属薄膜２２ａをレンズ面２３２に対して略平行に配置させているので、真空蒸着装置等を使用して製造される上述の従来製造されていた反射スクリーンに比して、反射スクリーン２０を効率よく簡易に製造することができる。また、本実施形態の反射スクリーン２０は、反射層２２が、単位レンズ２３１の背面側を覆うようにして形成されているので、上述の従来製造されていた反射スクリーンのように保護層を設ける必要がなく、その点においても上述の従来製造されていた反射スクリーンに比して簡易に製造することができる。また、反射スクリーン２０の製造コストも低減することもできる。
【００５３】
また、上述の従来製造されていた反射スクリーンは、反射層が蒸着により形成されているため、反射スクリーン全体として黄みがかった色味となるが、本実施形態の反射スクリーン２０は、反射層２２が複数の鱗片状の金属薄膜により形成されているため、全体として青みがかった色味となる。ここで、映像源から投射される映像光の色味を調整して、反射スクリーンに表示される映像の色味を調整する場合、反射スクリーンが黄みがかっている場合よりも、青みがかっている場合の方が、白色への補正が容易になる。そのため、本実施形態の反射スクリーン２０は、上述の従来製造されていた反射スクリーンに比して、映像源の調整による色味の補正を容易に行うことができる。
【００５４】
次に、光学特性の相違する複数種類の基材層を用いて製造された反射スクリーンの光学特性の評価を行う。
本評価には、光学特性の相違する複数種類の基材層を用いて製造された反射スクリーンを製造し、幾何学的中心点Ａ（図１参照）を等間隔に囲むようにして６０ｍｍ×６０ｍｍで切り出したものを測定例として使用した。
ここで、評価に使用した各測定例の反射スクリーンは、基材層の光学特性（ピークゲインＰｇ１、拡散半値角αＨ１、Ｔｉｎｔ率）がそれぞれ相違するように形成されているが、それ以外の層（表面層、レンズ層、反射層）については同等に形成されている。
【００５５】
評価に使用した各測定例の反射スクリーンに使用される表面層、基材層、レンズ層、反射層の仕様等は、以下の通りである。
表面層：厚み２５μｍ、エポキシ系樹脂製。
基材層：総厚み１．５ｍｍ、光拡散層及び着色層の共押出成形により形成。
拡散層：アクリル−スチレン系樹脂ビーズを含有したアクリル系樹脂製。
着色層：黒色染料を含有したアクリル系樹脂製。
レンズ層：観察側の面から背面側の単位レンズの頂点ｔまでの厚みが０．１ｍｍ、紫外線硬化型樹脂製。
反射層：レンズ層のレンズ面に垂直な方向における厚みが０．０２０ｍｍ、アルミニウムの金属薄膜を含有した塗料により形成される。
【００５６】
各測定例の反射スクリーンに使用された基材層の評価には、その基材層（着色層、光拡散層）の着色層側の面に表面樹脂層、ＰＥＴ基材を順に積層し、また、基材層の光拡散層側の面にレンズ樹脂層、ＰＥＴ基材を順に積層させた積層体の中央部（６０ｍｍ×６０ｍｍ）を切り出した試験体を用いた。
ここで、表面樹脂層は、上述の表面層２５を構成する樹脂によって形成されており、この表面樹脂層とその表面に貼付されるＰＥＴ基材とは、凹凸形状等が設けられていない表面層２５を模擬した層となる。また、レンズ樹脂層は、上述のレンズ層を構成する樹脂によって形成されており、単位レンズ２３１や反射層２２が設けられていないレンズ層２３を模擬した層である。なお、ＰＥＴ基材は、表面樹脂層の観察者側の面や、レンズ樹脂層の背面の表面粗さが起因となる光拡散を排除するために設けられている。
【００５７】
また、各測定例の反射スクリーンに使用された基材層の光学特性は、上述の各測定例に係る試験体を用いて以下のように求められた。
測定例１の反射スクリーンに使用された基材層の光学特性は、ピークゲインＰｇ１＝０．４であり、拡散半値角αＨ１＝１５．９°であり、Ｔｉｎｔ率が３２．１％である。
測定例２の反射スクリーンに使用された基材層の光学特性は、ピークゲインＰｇ１＝０．７であり、拡散半値角αＨ１＝１０．０°であり、Ｔｉｎｔ率が３１．４％である。
測定例３の反射スクリーンに使用された基材層の光学特性は、ピークゲインＰｇ１＝１．０であり、拡散半値角αＨ１＝８．８°であり、Ｔｉｎｔ率が３１．７％である。
測定例４の反射スクリーンに使用された基材層の光学特性は、ピークゲインＰｇ１＝２．５であり、拡散半値角αＨ１＝４．５°であり、Ｔｉｎｔ率が３１．６％である。
測定例５の反射スクリーンに使用された基材層の光学特性は、ピークゲインＰｇ１＝５．１であり、拡散半値角αＨ１＝２．６°であり、Ｔｉｎｔ率が３１．１％である。
測定例６の反射スクリーンに使用された基材層の光学特性は、ピークゲインＰｇ１＝１２．８であり、拡散半値角αＨ１＝１．７°であり、Ｔｉｎｔ率が３２．０％である。
測定例７の反射スクリーンに使用された基材層の光学特性は、ピークゲインＰｇ１＝１３．７であり、拡散半値角αＨ１＝１．５°であり、Ｔｉｎｔ率が３２．０％である。
【００５８】
各測定例の反射スクリーン及びそれを構成する基材層と、比較例の反射スクリーンとの光学特性を以下の表１にまとめる。ここで、比較例の反射スクリーンは、拡散反射板として一般に用いられる白色の樹脂板から構成されるスクリーンであり、各測定例の反射スクリーンとの比較対象である。
なお、基材層及び反射スクリーンの各測定例の光学特性は、以下のように測定したものである。
【００５９】
（ピークゲインの測定）
各測定例に用いられた基材層のピークゲインＰｇ１は、上述の試験体の幾何学的中心からシート面の法線方向の背面側へ１５０ｍｍ離れた位置に光源を配置し、微小偏角輝度計（上色彩株式会社製、ＧＰ−５００）を試験体の幾何学的中心からシート面の法線方向（厚み方向）の観察者側へ３００ｍｍ離れた位置に配置することによって求められたものである。
【００６０】
また、各測定例及び比較例の反射スクリーンのピークゲインＰｇは、反射スクリーンの観察者側の幾何学的中心Ａから下方に１０３０ｍｍ、シート面から法線方向の観察者側へ６５０ｍｍ離れた位置に映像源（キャノン株式会社製のＬＶ-８２３５ＵＳ）を配置して、反射スクリーンに入射する光の照度と反射スクリーンから出射する光の輝度とを測定し、上述の式（１）によって求められたものである。
ここで、輝度計（コニカミノルタ社製、ＬＳ-１１０）は、反射スクリーンの観察者側の面の幾何学的中心Ａからシート面の法線方向（厚み方向）の観察者側へ３．２ｍ離れた位置に配置され、照度計（コニカミノルタ社製、Ｔ−１０Ａ）は、反射スクリーンの観察者側の面の幾何学的中心Ａ上に配置される。
なお、照度計の測定点は、反射スクリーンの観察者側の面と同一面上に存在させており、これにより、照度計の厚みによる測定誤差が生じてしまうのを回避している。
【００６１】
（拡散半値角の測定）
各測定例に用いられた基材層の拡散半値角αＨ１の測定には、上述のピークゲインＰｇ１の測定に用いた試験体と同様の試験体を用いた。
この拡散半値角αＨ１は、試験体の幾何学的中心点から観察者側に所定の距離（３００ｍｍ）離した位置に微小偏角輝度計（上色彩株式会社製、ＧＰ−５００）を配置し、その幾何学的中心点と微小偏角輝度計との距離を維持した状態で、その幾何学的中心点を中心にして輝度計を画面左右方向又は画面上下方向に移動し、シート面の法線方向に対して所定の角度θで試験体から出射される光の輝度を測定し、その測定結果から求められたものである。なお、光源は、試験体の背面の幾何学的中心からシート面の法線方向の背面側へ１５０ｍｍ離れた位置に配置されている。
【００６２】
図５は、反射スクリーンの拡散半値角の測定を説明する図である。なお、図５において、輝度計を画面左右方向に移動して測定する例を示すが、画面上下方向においても同様である。
また、各測定例及び比較例の反射スクリーンの拡散半値角αＨは、図５に示すように、測定例の幾何学的中心点Ｂから観察者側へ所定の距離（３．２ｍ）離した位置に輝度計（コニカミノルタ社製、ＬＳ-１１０）を配置し、点Ｂと輝度計との距離を維持した状態で、点Ｂを中心にして輝度計を画面左右方向又は画面上下方向に移動しながら反射スクリーンで反射する光の輝度を測定し、その測定結果から求められたものである。なお、映像源（キャノン株式会社製のＬＶ-８２３５ＵＳ）は、反射スクリーンの観察者側の幾何学的中心Ｂから下方に１０３０ｍｍ、シート面から法線方向の観察者側へ６５０ｍｍ離れた位置に配置されている。
なお、本実施形態では、輝度計の配置角度θを、図５に示すように、−６０°〜６０°の範囲で傾けているが、これに限定されるものでない。
【００６３】
【表１】
2016180855.tif 000003
【００６４】
ここで、表１中の「Ｔｉｎｔ率」は、基材層の黒味を示す指標であり、以下の式（３）によって求められる。
【００６５】
式（３）    （１−Ｂ１／Ｂ２）×１００［％］
【００６６】
ここで、Ｂ１は、波長が６３０〜５８０ｎｍ間の光の透過率の平均値であり、Ｂ２は、波長が７８０〜７３０ｎｍ間の光の透過率の平均値である。拡散特性を一定とした場合、波長が７８０〜７３０ｎｍ間の光は、黒味の濃淡を変動させても透過率が一定になる傾向であるのに対して、波長が６３０〜５８０ｎｍ間の光は、黒味の濃淡の変動に応じて透過率が変化する傾向である。そのため、上述の式（３）は、基材層の黒味を示す指標となる。なお、光の透過率は、分光光度計（島津製作所社製、ＵＶ−２４５０）によって測定されたものである。
また、表１中の「黒輝度」とは、各測定例の反射スクリーンに映像を表示させていない状態のスクリーン面の輝度をいい、また、「白輝度」とは、各測定例の反射スクリーンに白色画像を表示したときの輝度をいう。「コントラスト比」は、上述の白輝度の値を黒輝度の値で割った値である。ここで、上述の黒輝度及び白輝度の各測定は、天井に設置した蛍光灯の光がスクリーンの幾何学的中心に対して４５度で入射するようにして、その入射光の照度が１００ｌｘとなる環境下において行われた。
なお、天井に設置した蛍光灯の光の照度の値は、スクリーン面の幾何学的中心であって、スクリーン面の法線方向と平行な方向に照度計の測定面（受光面）が向くように配置することによって測定された値である。また、白輝度の測定には、映像源から照度が３４０ｌｘの白色画像を使用した。
【００６７】
表１に示すように、比較例の反射スクリーンは、ピークゲインＰｇ、拡散半値角αＨともに上述の好ましい範囲に含まれるものであるが、コントラスト比が３．３と低いものとなった。これに対して、各測定例の反射スクリーンは、比較例の反射スクリーンに比して、黒輝度の値が小さいため、コントラスト比が高いものになることが確認された。
【００６８】
また、表１に示すように、測定例１の反射スクリーンは、基材層の拡散半値角αＨ１が上述の好ましい範囲（１．７°≦αＨ１≦１０°）の上限値を超えており、スクリーン全体としての拡散半値角αＨも好ましい範囲（１７°≦αＨ≦２７°）の上限値を超えるものとなった。また、測定例１の反射スクリーンは、基材層のピークゲインＰｇ１が上述の好ましい範囲（０．７≦Ｐｇ１≦１３．６）の下限値を下回っており、スクリーン全体としてのピークゲインＰｇも好ましい範囲（０．６≦Ｐｇ≦１．４）の下限値を下回るものとなった。
測定例７の反射スクリーンは、基材層の拡散半値角αＨ１が上述の好ましい範囲（１．７°≦αＨ１≦１０°）の下限値を下回っており、また、スクリーン全体としての拡散半値角αＨも好ましい範囲（１７°≦αＨ≦２７°）の下限値を下回るものとなった。また、測定例７の反射スクリーンは、基材層のピークゲインＰｇ１が上述の好ましい範囲（０．７≦Ｐｇ１≦１３．６）の上限値を超えており、スクリーン全体としてのピークゲインＰｇも好ましい範囲（０．６≦Ｐｇ≦１．４）の上限値を超えるものとなった。
【００６９】
これに対して、測定例２〜６の反射スクリーンは、それぞれの基材層がピークゲインＰｇ１、拡散半値角αＨ１がともに上述の好ましい範囲を満たしており、また、反射スクリーン全体としてのピークゲインＰｇ、拡散半値角αＨも好ましい範囲を満たすものとなった。
以上の結果より、基材層のピークゲインＰｇ１及び拡散半値角αＨ１がそれぞれ好ましい範囲（０．７≦Ｐｇ１≦１３．６、１．７°≦αＨ１≦１０°）を満たすことで、良好な光学特性（０．６≦Ｐｇ≦１．４、１７°≦αＨ≦２７°）、すなわち正面輝度と視野角とのバランスが良好に保たれた反射スクリーン２０を実現することができることが確認された。
【００７０】
以上より、本実施形態の反射スクリーンは、以下の効果を奏する。
（１）反射スクリーン２０は、基材層２４のピークゲインＰｇ１が０．７≦Ｐｇ１≦１３．６であり、拡散半値角αＨ１が１．７°≦αＨ１≦１０°であるので、反射スクリーン２０を最終工程まで作製して評価することなく、良好な光学特性、すなわち正面輝度と視野角とのバランスが良好に保たれた反射スクリーン２０を得ることができる。
（２）反射スクリーン２０は、ピークゲインＰｇが０．６≦Ｐｇ≦１．４であり、拡散半値角αＨが１７°≦αＨ≦２７°であるので、正面輝度と視野角とのバランスを適切にとることができ、良好な光学特性を有することができる。
（３）反射スクリーン２０は、基材層２４が、光の透過率を調整する着色層を有するので、反射スクリーン２０に入射する照明光等の不要な外光を吸収したり、表示される映像の黒色の表示部分を強調させたりして、映像のコントラストを向上させることができる。
【００７１】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００７２】
（変形形態）
【００７３】
（１）本実施形態では、基材層２４は、着色層２４２と光拡散層２４１とを備える例を示したが、これに限らず、例えば、基材層２４は、着色層２４２を備えず、光拡散層２４１のみを備える形態としてもよい。この場合、光拡散層２４１が拡散材に加えてさらに着色材をも含有する形態としてもよい。
また、基材層２４は、着色層２４２のみを備え、着色層２４２が着色剤に加えてさらに光拡散材を含有し、光拡散層としての機能を有する形態としてもよい。
さらに、光拡散層２４１と着色層２４２とは、別々に成形された光拡散層２４１と着色層２４２とを粘着剤等で接合して基材層２４としてもよい。
【００７４】
（２）本実施形態の反射層２２の金属薄膜２２ａは、鱗片状のアルミニウムを使用する例を説明したが、これに限定されるものでなく、例えば、銀や、ニッケル等の金属を使用することも可能である。
（３）本実施形態では、レンズ面２３２及び非レンズ面２３３は、図２等において直線状で示されるように平面状である例を示したが、これに限らず、レンズ面２３２や非レンズ面２３３の一部が曲面状となっていてもよい。
また、本実施形態では、単位レンズ２３１は、図２等に示す断面形状が略三角形形状である例を示したが、これに限らず、例えば、断面形状が略台形形状であり、レンズ面と非レンズ面とが、スクリーン面に平行な頂面を挟んで対向する形態としてもよい。このとき、頂面は、映像光の反射に寄与しない領域に形成されることが好ましい。
【００７５】
（４）本実施形態では、映像源ＬＳは、鉛直方向において反射スクリーン２０（反射スクリーンユニット１０）より下方に位置し、映像光Ｌが反射スクリーン２０の下方から斜めに投射される例を示したが、これに限らず、例えば、映像源ＬＳが、鉛直方向において反射スクリーン２０より上方に位置し、映像光Ｌが反射スクリーン２０の上方から斜めに投射される形態としてもよい。
【００７６】
なお、上述の実施形態及び変形形態は、適宜組み合わせて用いることもできるが、詳細な説明は省略する。また、本発明は以上説明した実施形態等によって限定されることはない。
【符号の説明】
【００７７】
１    映像表示システム
１０    反射スクリーンユニット
２０    反射スクリーン
２２    反射層
２２ａ    金属薄膜
２３    レンズ層
２３１    単位レンズ
２３２    レンズ面
２３３    非レンズ面
２４    基材層
２４１    光拡散層
２４２    着色層
２５    表面層
３０    支持板
４０    接合層
ＬＳ    映像源
【図１】
2016180855.tif 000004
【図２】
2016180855.tif 000005
【図３】
2016180855.tif 000006
【図４】
2016180855.tif 000007
【図５】
2016180855.tif 000008
【図６】
2016180855.tif 000009